(57)【要約】【課題】洗浄時に縮小可能、使用時に拡大可能な清掃用具を提供することを課題とする。【解決手段】洗浄時に縮小可能、使用時に拡大可能な清掃用具であって、モップとバケツとを含み、前記モップはモップヘッドとモップ柄とを含み、モップ柄がモップヘッドに連結され、上下に直線移動し回転駆動できるモップ柄であり、前記バケツ内にモップヘッドの回転を支える支持位置が設けられ、前記モップが変形駆動機構を更に含み、前記モップヘッドが可動プレートとベースプレートとを含み、可動プレートとベースプレートが同一平面上に相対的に摺動でき、前記可動プレートとベースプレートとの間に可動プレートの運動軌跡を制限する軌跡機構が設けられ；モップ柄がベースプレートに対して相対回転可能に設けられ；前記モップ柄の回転により、変形駆動機構を駆動させて可動プレートを軌跡機構に沿って動かせることで、モップヘッドの長さと幅の寸法を変化させる。【選択図】  図１
2020516340.tif 000002
【特許請求の範囲】
【請求項１】
モップとバケツとを含み、前記モップはモップヘッドとモップ柄とを含み、前記モップ柄が前記モップヘッドに連結され、上下に直線移動し回転駆動できるモップ柄であり、前記バケツ内に前記モップヘッドの回転を支える支持位置が設けられた洗浄時に縮小可能、使用時に拡大可能な清掃用具であって、
前記モップが変形駆動機構を更に含み、前記モップヘッドが可動プレートとベースプレートとを含み、前記可動プレートと前記ベースプレートが同一平面上に相対的に摺動でき、前記可動プレートと前記ベースプレートとの間に前記可動プレートの運動軌跡を制限する軌跡機構が設けられ；前記モップ柄が前記ベースプレートに対して相対回転可能に設けられ；前記モップ柄の回転により、前記変形駆動機構を駆動させて前記可動プレートを前記軌跡機構に沿って動かせることで、前記モップヘッドの長さと幅の寸法を変化させることを特徴とする、洗浄時に縮小可能、使用時に拡大可能な清掃用具。
【請求項２】
前記モップヘッドの長さと幅の寸法変化の前後の前記モップ柄と前記モップヘッドの連結部は、やはり前記モップヘッドの中心位置にあることを特徴とする、請求項１に記載の洗浄時に縮小可能、使用時に拡大可能な清掃用具。
【請求項３】
前記変形駆動機構は、前記モップ柄に連結される駆動歯車と前記可動プレートに連結される従動歯車とを含み、前記駆動歯車の回転により前記従動歯車を連動して前記可動プレートを回転させ；前記軌跡機構は、前記ベースプレート上に設けられた摺動溝、前記可動プレートに設けられた摺動ブロックであり、前記摺動ブロックが前記摺動溝内に挿入され前記摺動溝に沿って動き、或いは前記摺動溝、前記摺動ブロックの設置位置を入れ替えることを特徴とする、請求項１又は２に記載の洗浄時に縮小可能、使用時に拡大可能な清掃用具。
【請求項４】
前記ベースプレートは、前記可動プレートと前記従動歯車との間に設けられ、前記従動歯車が前記摺動ブロックと固結されることを特徴とする、請求項３に記載の洗浄時に縮小可能、使用時に拡大可能な清掃用具。
【請求項５】
カバーと外自在ヘッドユニットと内自在ヘッドユニットとを更に含み、前記カバーは、前記ベースプレートの上方を覆い被せ、前記内自在ヘッドユニットが前記外自在ヘッドユニット内に設けられ、前記外自在ヘッドユニットが外上部ジョイントと外下部ジョイントとを含み、前記外上部ジョイントが前記外下部ジョイントと枢結され、前記外下部ジョイントが前記カバーと枢結され；前記内自在ヘッドユニットは、内上部ジョイントと内下部ジョイントとを含み、前記内上部ジョイントが前記内下部ジョイントと枢結され、前記内下部ジョイントが前記駆動歯車と枢結され、前記内上部ジョイントが前記モップ柄と連結されることを特徴とする、請求項１、２、４のいずれか一項に記載の洗浄時に縮小可能、使用時に拡大可能な清掃用具。
【請求項６】
前記変形駆動機構は、伸縮可能な連結手段を含み、前記伸縮可能な連結手段の両端が各々前記可動プレートと回転可能に取り付けられ、前記モップ柄が前記伸縮可能な連結手段に連接され、前記モップ柄の回転により前記伸縮可能な連結手段の回転を駆動させることができ、前記伸縮可能な連結手段が所定位置まで回転した後、伸長或いは短縮できることを特徴とする、請求項１に記載の洗浄時に縮小可能、使用時に拡大可能な清掃用具。
【請求項７】
前記伸縮可能な連結手段は、少なくとも２本の伸縮棒とハウジングと引張りばねとカムとを含み、前記ハウジング内に前記伸縮棒が設けられ、前記引張りばねの両端が両伸縮棒に接続され、前記カムが前記両伸縮棒の間に設けられ、前記ハウジングに対して相対回転可能に設けられ、前記カムの回転により前記伸縮棒の伸縮を駆動できることを特徴とする、請求項６に記載の洗浄時に縮小可能、使用時に拡大可能な清掃用具。
【請求項８】
カバーと外自在ヘッドユニットと内自在ヘッドユニットとを更に含み、前記カバーは、前記ベースプレートの上方を覆い被せ、前記内自在ヘッドユニットが前記外自在ヘッドユニット内に設けられ、前記外自在ヘッドユニットが外上部ジョイントと外下部ジョイントとを含み、前記外上部ジョイントが前記外下部ジョイントと枢結され、前記外下部ジョイントが前記カバーと枢結され；前記内自在ヘッドユニットは、内上部ジョイントと内下部ジョイントとを含み、前記内上部ジョイントが前記内下部ジョイントと枢結され、前記内下部ジョイントが前記駆動歯車と枢結され、前記内上部ジョイントが前記モップ柄と連結されることを特徴とする、請求項３に記載の洗浄時に縮小可能、使用時に拡大可能な清掃用具。
【請求項９】
前記バケツは、バケツ本体と支持体とを含み、前記支持体が前記バケツ本体内に設けられ、前記バケツ本体と回転可能に取り付けられることを特徴とする、請求項１に記載の洗浄時に縮小可能、使用時に拡大可能な清掃用具。
【請求項１０】
前記支持体には、係止具が設けられ、前記ベースプレートに係止爪が設けられ、脱水時、前記係止爪が前記係止具に嵌め込められることを特徴とする、請求項９に記載の洗浄時に縮小可能、使用時に拡大可能な清掃用具。
【発明の詳細な説明】
【技術分野】
【０００１】
本発明は、清掃用具技術分野に属し、洗浄時に縮小可能、使用時に拡大可能な清掃用具に関する。
【背景技術】
【０００２】
中国特許公開番号第ＣＮ１０３４１７１６８Ａ号は、回転モップ柄機構とモップヘッド機構とを含む遠心脱水可能な回転式モップであり；前記回転モップ柄機構は、外筒と内筒と回転駆動機構とを含み、回転駆動機構が外筒と内筒を枢結させ、外筒と内筒との間が軸方向において上下へ相対移動でき、また相対的に回動することもでき；モップヘッド機構は、内筒と固結され；脱水機構を更に含み、脱水機構は内筒を外嵌すると共に内筒に沿って上下に移動でき；上記モップのモップヘッド面積は、変化できないため、このモップヘッドの床掃除面積がバケツと直接関係し、従来のモップヘッドの床掃除面積が小さすぎることにより床掃除効率が低く、モップヘッドの床掃除面を拡大させようとした場合、バケツもこれに伴って大きくさせなければならず、製造コストや物流コストが急激に増える等の問題が生じる。
【発明の概要】
【発明が解決しようとする課題】
【０００３】
ところが、本発明の目的は、従来技術に存在する上記不足を克服し、構造設計が合理的で、操作が簡単で、長さや幅も変化させることができる洗浄時に縮小可能、使用時に拡大可能な清掃用具を提供することにある。
【課題を解決するための手段】
【０００４】
本発明は上記技術的課題を解決するために、以下の技術的手段からなる。
洗浄時に縮小可能、使用時に拡大可能な清掃用具であって、モップとバケツとを含み、前記モップはモップヘッドとモップ柄とを含み、モップ柄がモップヘッドに連結され、上下に直線移動し回転駆動できるモップ柄であり、前記バケツ内にモップヘッドの回転を支える支持位置が設けられ、前記モップが変形駆動機構を更に含み、前記モップヘッドが可動プレートとベースプレートとを含み、可動プレートとベースプレートが同一平面上に相対的に摺動でき、前記可動プレートとベースプレートとの間に可動プレートの運動軌跡を制限する軌跡機構が設けられ；モップ柄がベースプレートに対して相対回転可能に設けられ；前記モップ柄の回転により、変形駆動機構を駆動させて可動プレートを軌跡機構に沿って動かせることで、モップヘッドの長さと幅の寸法を変化させる。
【０００５】
さらに言えば、前記モップヘッドの長さと幅の寸法変化の前後のモップ柄とモップヘッドの連結部は、やはりモップヘッドの中心位置にある。
【０００６】
さらに言えば、前記変形駆動機構は、モップ柄に連結される駆動歯車と可動プレートに連結される従動歯車とを含み、前記駆動歯車の回転により従動歯車を連動して可動プレートを回転させ；軌跡機構は、ベースプレート上に設けられた摺動溝、可動プレートに設けられた摺動ブロックであり、前記摺動ブロックが摺動溝内に挿入され摺動溝に沿って動き、或いは摺動溝、摺動ブロックの設置位置を入れ替える。
【０００７】
さらに言えば、前記ベースプレートは、前記可動プレートと前記従動歯車との間に設けられ、前記従動歯車が前記摺動ブロックと固結される。
【０００８】
さらに言えば、カバーと外自在ヘッドユニットと内自在ヘッドユニットとを更に含み、前記カバーは、ベースプレートの上方を覆い被せ、内自在ヘッドユニットが外自在ヘッドユニット内に設けられ、前記外自在ヘッドユニットが外上部ジョイントと外下部ジョイントとを含み、外上部ジョイントが外下部ジョイントと枢結され、外下部ジョイントがカバーと枢結され；内自在ヘッドユニットは、内上部ジョイントと内下部ジョイントとを含み、内上部ジョイントが内下部ジョイントと枢結され、内下部ジョイントが駆動歯車と枢結され、内上部ジョイントがモップ柄と連結される。
【０００９】
さらに言えば、前記変形駆動機構は、伸縮可能な連結手段を含み、前記伸縮可能な連結手段の両端が各々可動プレートと回転可能に取り付けられ、前記モップ柄が伸縮可能な連結手段に連接され、モップ柄の回転により伸縮可能な連結手段の回転を駆動させることができ、伸縮可能な連結手段が所定位置まで回転した後、伸長或いは短縮できる。
【００１０】
さらに言えば、前記伸縮可能な連結手段は、少なくとも２本の伸縮棒とハウジングと引張りばねとカムとを含み、前記ハウジング内に伸縮棒が設けられ、引張りばねの両端が両伸縮棒に接続され、前記カムが両伸縮棒の間に設けられ、ハウジングに対して相対回転可能に設けられ、カムの回転により伸縮棒の伸縮を駆動できる。
【００１１】
さらに言えば、前記バケツは、バケツ本体と支持体とを含み、前記支持体がバケツ本体内に設けられ、バケツ本体と回転可能に取り付けられる。
【００１２】
さらに言えば、前記支持体には、係止具が設けられ、前記ベースプレートに係止爪が設けられ、脱水時、前記係止爪が係止具に嵌め込められる。
【発明の効果】
【００１３】
本発明は、従来技術に対比すると、以下の利点及び効果を有する。
１、本発明は、床掃除使用の時、モップの床掃除面積を最大（長くなる）限まで拡大でき、床掃除効率が向上され、バケツで洗浄する時、モップヘッドの寸法を縮小でき、すなわち、モップ柄とモップヘッドの連結部を中心としてからモップヘッドの外周縁までの距離を縮小することで、より一層遠心脱水又は洗浄に適している。
【図面の簡単な説明】
【００１４】
【図１】本発明の実施例１に係る構造を示す模式図である。
【図２】本発明の実施例１に係るカバーをセットした後の構造を示す模式図である。
【図３】本発明の洗浄状態の構造を示す模式図である。
【図４】本発明の実施例２に係る構造を示す模式図である。
【発明を実施するための形態】
【００１５】
以下、添付図面を基に、実施例を通じて本発明を詳細に説明する。下記実施例は、あくまでも本発明の技術内容を明らかにするものであって、本発明が下記実施例に限定されるものではない。
【実施例１】
【００１６】
図１乃至図３を参照すると、本実施例に係る洗浄時に縮小可能、使用時に拡大可能な清掃用具は、モップとバケツとを含み、前記モップはモップヘッドとモップ柄２とを含み、モップ柄２がモップヘッドに連結され、上下に直線移動し回転駆動できるモップ柄であり、前記バケツ内にモップヘッドの回転を支える支持位置が設けられ、前記モップが変形駆動機構を更に含み、前記モップヘッドが可動プレート１１とベースプレート１２とを含み、可動プレート１１とベースプレート１２が同一平面上に相対的に摺動でき、前記可動プレート１１とベースプレート１２との間に可動プレート１１の運動軌跡を制限する軌跡機構が設けられ；モップ柄２がベースプレート１２に対して相対回転可能に設けられ；前記モップ柄２の回転により、変形駆動機構を駆動させて可動プレート１１を軌跡機構に沿って動かせることで、モップヘッドの長さと幅の寸法を変化させる。
【００１７】
本実施例に係るモップヘッドの長さと幅の寸法変化の前後のモップ柄２とモップヘッドの連結部は、やはりモップヘッドの中心位置にある。本発明の遠心脱水時、モップ柄２とモップヘッドの連結部がモップヘッドの中心位置にあることを保証しなければならない。
【００１８】
本実施例に係る変形駆動機構は、モップ柄２に連結される駆動歯車３１と可動プレート１１に連結される従動歯車３２とを含み、前記駆動歯車３１の回転により従動歯車３２を連動して可動プレート１１を回転させ；軌跡機構は、ベースプレート１２上に設けられた摺動溝１２０、可動プレート１１に設けられた摺動ブロック１１１であり、前記摺動溝１２０が鏡映対称となるようベースプレート１２の両側に設けられ、前記摺動ブロック１１１が摺動溝１２０内に挿入され摺動溝１２０に沿って動き、或いは摺動溝１２０、摺動ブロック１１１の設置位置を入れ替え、可動プレート１１に摺動溝１２０が設けられ、ベースプレート１２に摺動ブロック１１１が設けられ、摺動ブロック１１１が摺動溝１２０内に挿入され摺動溝１２０に沿って動く。
【００１９】
前記駆動歯車３１は、モップ柄２の駆動を受けた時、従動歯車３２を通じて可動プレート１１を９０度回転させ、モップヘッドの長さが本来の少なくとも２枚の可動プレート１１の長さの和を少なくとも２枚の可動プレート１１の幅の和に変え、モップヘッドの幅が本来の少なくとも１枚の可動プレート１１の幅を少なくとも１枚の可動プレート１１の長さに変え、すなわち、モップ柄２とモップヘッドの連結部を中心としてからモップヘッドの外周縁までの距離を縮小する。
【００２０】
本実施例に係るベースプレート１２は、可動プレート１１と従動歯車３２との間に設けられ、従動歯車３２が摺動ブロック１１１と固結される。従動歯車３２の周方向回転により、可動プレート１１を連動し、垂直方向においてまたも可動プレート１１の定位置を決める。
【００２１】
本実施例は、カバー４と外自在ヘッドユニットと内自在ヘッドユニットとを更に含み、前記カバーはベースプレート１２の上方を覆い被せ、内自在ヘッドユニットが外自在ヘッドユニット内に設けられ、前記外自在ヘッドユニットが外上部ジョイント５１と外下部ジョイント５２とを含み、外上部ジョイント５１が外下部ジョイント５２と枢結され、外下部ジョイント５２がカバー４と枢結され；内自在ヘッドユニットは、内上部ジョイント６１と内下部ジョイント６２とを含み、内上部ジョイント６１が内下部ジョイント６２と枢結され、内下部ジョイント６２が駆動歯車と枢結され、内上部ジョイント６１がモップ柄２と連結される。外自在ヘッドユニット及び内自在ヘッドユニットの設置を通じて、モップ柄の自由自在な動きを実現し、清掃や床掃除をより一層便利でスピーディーになる。
【００２２】
本実施例に係るバケツ８は、バケツ本体８１と支持体８２とを含み、前記支持体８２がバケツ本体８１内に設けられ、バケツ本体８１と回転可能に取り付けられる。
【００２３】
本実施例に係る前記支持体８２には、係止具が設けられ、前記ベースプレート１２に係止爪が設けられ、脱水時、前記係止爪が係止具に嵌め込められる。モップで床掃除する時、モップ柄２とモップヘッドの連結部を中心としてからモップヘッドの外周縁までの距離を最大限にまで拡大し、この時その床掃除面積も最大となり；モップをバケツに入れて脱水する時、モップ柄２とモップヘッドの連結部を中心としてからモップヘッドの外周までの距離を縮小させて、バケツに合わせて小さくなることを実現する。
【実施例２】
【００２４】
図４に示すように、本実施例に係る変形駆動機構の別の実施形態では、前記変形駆動機構は伸縮可能な連結手段７を含み、前記伸縮可能な連結手段７の両端が各々可動プレート１１と回転可能に取り付けられ、前記モップ柄２が伸縮可能な連結手段７に連接され、モップ柄２の回転により伸縮可能な連結手段７の回転を駆動させることができ、伸縮可能な連結手段７が所定位置まで回転した後、伸長或いは短縮できる。
【００２５】
本実施例に係る伸縮可能な連結手段７は、少なくとも２本の伸縮棒７１とハウジング７２と引張りばね７３とカム７４とを含み、前記ハウジング７２内に伸縮棒７１が設けられ、引張りばね７３の両端が両伸縮棒７１に接続され、前記カム７４が両伸縮棒７１の間に設けられ、ハウジング７２に対して相対回転可能に設けられ、カム７４の回転により伸縮棒７１の伸縮を駆動できる。前記２枚の可動プレート１１の間の距離が伸縮棒７１の伸縮摺動により調整を実現する。
【００２６】
本明細書内で記載されている具体的実施例は、あくまでも本発明の技術内容を明らかにするものである。当業者であれば、本発明の具体的実施例に様々な修正又は補足を加え或いは類似した方式で置換することができ、かつかかる変更や修正が本発明の明細書内容から逸脱することがない場合、若しくは本願の特許請求の範囲で定義される範囲を超えない場合、本発明の保護範囲に網羅される。
【図１】
2020516340.tif 000003
【図２】
2020516340.tif 000004
【図３】
2020516340.tif 000005
【図４】
2020516340.tif 000006
【国際調査報告】
2020516340.tif 000007
2020516340.tif 000008
2020516340.tif 000009
2020516340.tif 000010
2020516340.tif 000011
2020516340.tif 000012